Podtech/llm-jp-corpus-v4-ja_patent huggingface dataset:
【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
第１の入賞口と、
第２の入賞口と、
遊技者に有利な有利遊技状態に制御可能な遊技状態制御手段と、
演出を制御可能な演出制御手段と、を備え、
前記演出制御手段は、前記有利遊技状態における前記第１の入賞口及び前記第２の入賞口への入賞に応じて、賞球数又は入賞数を示唆する第１の入賞演出を更新することが可能であることを特徴とする遊技機。
【請求項２】
請求項１に記載の遊技機であって、
前記演出制御手段は、前記有利遊技状態における前記第２の入賞口への入賞に応じて、前記第２の入賞口への入賞を示唆する第２の入賞演出を行うことが可能であることを特徴とする遊技機。
【請求項３】
請求項２に記載の遊技機であって、
前記第２の入賞演出は、前記第１の入賞演出において更新される数の示唆を含むことを特徴とする遊技機。
【請求項４】
請求項２又は請求項３に記載の遊技機であって、
前記有利遊技状態は、前記第１の入賞口への入賞が可能となる遊技状態であり、
前記第２の入賞口は、前記第１の入賞口に入賞するように発射された遊技球が入賞可能な位置にあることを特徴とする遊技機。
【請求項５】
請求項２から請求項４までのいずれかに記載の遊技機であって、
前記演出制御手段は、
前記第１の入賞口への入賞が発生すると、第１のタイミングで前記第１の入賞演出を更新し、
前記第２の入賞口への入賞が発生すると、前記第１のタイミングと同様の第２のタイミングで、前記第１の入賞演出を更新することを特徴とする遊技機。
【手続補正２】
【補正対象書類名】明細書
【補正対象項目名】０００６
【補正方法】変更
【補正の内容】
【０００６】
本発明に係る遊技機は、
第１の入賞口と、
第２の入賞口と、
遊技者に有利な有利遊技状態に制御可能な遊技状態制御手段と、
演出を制御可能な演出制御手段と、を備え、
前記演出制御手段は、前記有利遊技状態における前記第１の入賞口及び前記第２の入賞口への入賞に応じて、賞球数又は入賞数を示唆する第１の入賞演出を更新することが可能であることを特徴とする遊技機である。
【手続補正書】
【提出日】平成31年4月11日(2019.4.11)
【手続補正１】
【補正対象書類名】特許請求の範囲
【補正対象項目名】全文
【補正方法】変更
【補正の内容】
【特許請求の範囲】
【請求項１】
脈波を取得するセンサ部と、
前記取得された脈波から反射波に関する指標を算出する制御部と、を備え、
前記制御部は、前記算出された指標から被検者の糖代謝の状態を推定する、電子機器。
【請求項２】
前記制御部は、あらかじめ取得された被験者の血糖値と、前記血糖値の取得タイミングと同じタイミングで取得された脈波の反射波に関する指標との相関関係に基づいて、前記被験者の糖代謝を推定する、請求項１に記載の電子機器。
【請求項３】
前記あらかじめ取得された被験者の血糖値は、複数の異なる被験者の血糖値を含む、請求項２に記載の電子機器。
【請求項４】
脈波を取得するセンサ部と、
前記取得された脈波から反射波に関する指標を算出する制御部と、を備え、
前記制御部は、前記算出された指標から被検者の脂質代謝の状態を推定する、電子機器。
【請求項５】
前記制御部は、あらかじめ取得された被験者の脂質値と、前記脂質値の取得タイミングと同じタイミングで取得された脈波の反射波に関する指標との相関関係に基づいて、前記被験者の脂質代謝を推定する、請求項４に記載の電子機器。
【請求項６】
前記あらかじめ取得された被験者の脂質値は、複数の異なる被験者の脂質値を含む、請求項５に記載の電子機器。
【請求項７】
前記制御部は、前記取得された脈波から、反射波に関する指標としてＡＩを算出する、請求項１乃至６のいずれかに一項に記載の電子機器。
【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
角速度センサ、角度センサ、又は加速度センサのいずれかを少なくとも含むセンサ部を備え、
前記センサ部は、被検者の被検部位に接触し、前記被検者の脈波に応じて変位し、
前記センサは、前記被検者の脈波に応じた前記センサ部の角度変化を検出する、電子機器。
【請求項２】
前記センサ部は、突起部を有し、前記突起部が前記被検部位に接触した状態で、前記被検者の脈波に応じて変位する、請求項１に記載の電子機器。
【請求項３】
前記センサ部の固有振動数は、前記被検者の脈波の振動数と略等しい、請求項１又は２に記載の電子機器。
【請求項４】
前記センサ部の固有振動数は、０．５Ｈｚ以上２Ｈｚ以下の範囲のいずれかの振動数である、請求項１乃至３のいずれか一項に記載の電子機器。
【請求項５】
前記センサが検出した脈波に基づく指標を算出する制御部、をさらに備え、
前記制御部は、前記算出された指標から前記被検者の糖代謝又は脂質代謝の状態を推定する、請求項１乃至４のいずれか一項に記載の電子機器。
【請求項６】
前記制御部は、前記センサが検出した脈波から反射波に関する指標を算出し、当該算出された反射波に関する指標から前記被検者の糖代謝又は脂質代謝の状態を推定する、請求項５に記載の電子機器。
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
集積電極構造であって、
近位端および遠位端を備えるカテーテルシャフトと、
前記カテーテルシャフトの前記遠位端に隣接して位置する可撓性先端部分と、
前記可撓性先端部分に配置されており、組織に応じて変形するように構成された微小電極の可撓性アレイを形成する複数の微小電極と、
前記可撓性先端部分に配置されており、各々が前記複数の微小電極のうちの対応する一つと電気的に結合されている複数の導電性トレースと、
前記複数の導電性トレースの各々と前記可撓性先端部分との間に配置されており、前記複数の導電性トレースの各々の外側に面する表面をカバーする誘電体材料と、
を備える集積電極構造。
【請求項２】
前記可撓性先端部分は、誘電体材料でコーティングされた可撓性フレームワークを有する、請求項１に記載の集積電極構造。
【請求項３】
前記複数の微小電極の各々は、前記可撓性先端部分にパターニングされており、
前記複数の微小電極は、平面に沿って配列されている、請求項１又は２に記載の集積電極構造。
【請求項４】
前記複数の導電性トレースの各々と、前記誘電体材料との間にシード層が配置されている、請求項１から３のいずれか一項に記載の集積電極構造。
【請求項５】
前記複数の微小電極の各々と、前記誘電体材料と、前記複数の導電性トレースの各々の前記遠位端との間にシード層が配置されている、請求項４に記載の集積電極構造。
【請求項６】
前記複数の導電性トレースの各々の前記外側に面する表面の遠位部分から前記誘電体材料が剥離されている、請求項１から５のいずれか一項に記載の集積電極構造。
【請求項７】
前記複数の微小電極の各々は、前記導電性トレースの対応する一つと、当該導電性トレースの前記遠位部分において、電気的に結合されている、請求項６に記載の集積電極構造。
【請求項８】
集積電極構造であって、
近位端および遠位端を備えており、カテーテルシャフト長手方向軸を規定するカテーテルシャフトと、
前記カテーテルシャフトの前記遠位端に隣接して位置しており、可撓性フレームワークを備える可撓性先端部分と、
前記可撓性フレームワーク上に配置されており、組織に応じて変形するように構成された微小電極の可撓性アレイを形成する複数の微小電極と、
前記可撓性フレームワーク上に配置されており、各々が前記複数の微小電極のうちの対応する一つと電気的に結合されている複数の導電性トレースと、
前記複数の導電性トレースの各々と前記可撓性先端部分との間に配置されており、前記複数の導電性トレースの各々の外側に面する表面をカバーする誘電体材料と、
を備える集積電極構造。
【請求項９】
前記可撓性フレームワークは、誘電体材料でコーティングされたフレームを含む、請求項８に記載の集積電極構造。
【請求項１０】
前記複数の導電性トレースの各々は、前記可撓性先端部分の前記可撓性フレームワークの近位端に配置されている複数の電気コネクタの対応する一つと電気的に結合されている、請求項８又は９に記載の集積電極構造。
【請求項１１】
前記複数の電気コネクタの各々は、互いに電気的に結合されている近位コンタクトパッドおよび遠位コンタクトパッドを含む、請求項１０に記載の集積電極構造。
【請求項１２】
前記複数の導電性トレースの各々は、前記複数の電気コネクタの各々の前記遠位コンタクトパッドに電気的に結合されている、請求項１１に記載の集積電極構造。
【請求項１３】
前記複数の電気コネクタの各々の前記近位コンタクトパッドに、電気接続部が形成されている、請求項１１又は１２に記載の集積電極構造。
【請求項１４】
前記可撓性フレームワークは、内方下部構造および外方下部構造を含み、
前記内方下部構造および前記外方下部構造は、単一の材料片から形成されている、請求項８から１３のいずれか一項に記載の集積電極構造。
【請求項１５】
前記内方下部構造および前記外方下部構造は、前記内方下部構造および前記外方下部構造の周縁の周りに延伸する無傷性縁部を含む、請求項１４に記載の集積電極構造。
【請求項１６】
前記複数の微小電極は、前記可撓性フレームワークの上部および前記可撓性フレームワークの下部に配置されている、請求項８から１５のいずれか一項に記載の集積電極構造。
【請求項１７】
前記複数の微小電極は、前記可撓性フレームワークの表面の上方を延伸する、請求項８から１６のいずれか一項に記載の集積電極構造。
【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
上面の開口と、底面の回転翼と、を有する水槽と、
トップカバーと、
閉塞時に前記トップカバーに接して前記開口を覆うことが可能な蓋体と、
該蓋体の後辺に沿って設けられ、該蓋体の回動軸としての蓋体支軸と、
少なくとも前記蓋体の閉塞時、該蓋体に開き方向のトルクを与えるねじりバネと、を有し、
前記蓋体は、
板状で一枚構成で閉塞時に上面を目視可能な蓋ガラスと、
該蓋ガラスと前記トップカバーとの間に配された蓋下面カバーと、を有し、
閉塞時、後端から前端側に向かうにつれて下がる向きである洗濯機。
【請求項２】
請求項１記載の洗濯機であって、
少なくとも前記蓋体の閉塞位置近傍で、前記蓋体の回動運動に対して粘性抵抗を与えるダンパを有する洗濯機。
【手続補正２】
【補正対象書類名】明細書
【補正対象項目名】０００８
【補正方法】変更
【補正の内容】
【０００８】
上記目的を達成するために本発明の洗濯機は、上面の開口と、底面の回転翼と、を有する水槽と、トップカバーと、閉塞時に前記トップカバーに接して前記開口を覆うことが可能な蓋体と、該蓋体の後辺に沿って設けられ、該蓋体の回動軸としての蓋体支軸と、少なくとも前記蓋体の閉塞時、該蓋体に開き方向のトルクを与えるねじりバネと、を有し、前記蓋体は、板状で一枚構成で閉塞時に上面を目視可能な蓋ガラスと、該蓋ガラスと前記トップカバーとの間に配された蓋下面カバーと、を有し、閉塞時、後端から前端側に向かうにつれて下がる向きである構成とする。
【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
車両の運転状態を自動運転から手動運転へ切り替える運転切替部と、
前記運転切替部によって前記車両の運転状態が前記自動運転から前記手動運転へ切り替えられる前に、前記車両の外観を模した車両画像から前記車両の室内を模した車室画像へ遷移する画像を表示装置に表示させる表示制御部と
を備えることを特徴とする運転支援装置。
【請求項２】
前記表示制御部は、
前記車両画像から前記車室画像へ遷移する画像を表示させた後、ドライバに対してハンドルを握るように誘導する誘導画像を前記表示装置に表示させること
を特徴とする請求項１に記載の運転支援装置。
【請求項３】
前記誘導画像は、
前記ハンドルを模したハンドル画像と、前記ハンドル画像を握る動作を示す画像とを含むこと
を特徴とする請求項２に記載の運転支援装置。
【請求項４】
前記表示制御部は、
前記ハンドル画像において前記ハンドルの握る部位に対応する位置付近を強調表示すること
を特徴とする請求項３に記載の運転支援装置。
【請求項５】
ドライバの前記ハンドルに対する動作を検出する動作検出部
を備え、
前記表示制御部は、
前記動作検出部によってドライバの前記ハンドルに対して手を近づける動作が検出された場合、前記誘導画像においてドライバの手を模した手画像を前記ハンドル画像に近づけるように表示すること
を特徴とする請求項３または４に記載の運転支援装置。
【請求項６】
前記ハンドルがドライバによって握られたか否かを判定する把持判定部
を備え、
前記表示制御部は、
前記把持判定部によって前記ハンドルがドライバによって握られたと判定された場合、前記ハンドル画像を変化させること
を特徴とする請求項３〜５のいずれか一つに記載の運転支援装置。
【請求項７】
前記表示装置は複数あるとともに、
ドライバの視線を検出する視線検出部
を備え、
前記表示制御部は、
前記視線検出部によって前記視線が前記複数の表示装置のうち前記誘導画像を表示させる表示装置とは別の表示装置にあることが検出された場合、前記別の表示装置から前記誘導画像を表示させる表示装置へ視線を誘導する視線誘導画像を前記別の表示装置に表示させること
を特徴とする請求項２〜６のいずれか一つに記載の運転支援装置。
【請求項８】
前記表示制御部は、
前記車両の運転状態が前記自動運転から前記手動運転へ切り替わるまでの時間および距離の少なくともいずれかを含む情報を示す画像を前記表示装置に表示させること
を特徴とする請求項１〜７のいずれか一つに記載の運転支援装置。
【請求項９】
車両の運転状態を自動運転から手動運転へ切り替える運転切替工程と、
前記運転切替工程によって前記車両の運転状態が前記自動運転から前記手動運転へ切り替えられる前に、前記車両の外観を模した車両画像から前記車両の室内を模した車室画像へ遷移する画像を表示装置に表示させる表示制御工程と
を含むことを特徴とする運転支援方法。
【手続補正２】
【補正対象書類名】明細書
【補正対象項目名】０００７
【補正方法】変更
【補正の内容】
【０００７】
上記課題を解決し、目的を達成するために、本発明は、運転支援装置において、運転切替部と、表示制御部とを備える。運転切替部は、車両の運転状態を自動運転から手動運転へ切り替える。表示制御部は、前記運転切替部によって前記車両の運転状態が前記自動運転から前記手動運転へ切り替えられる前に、前記車両の外観を模した車両画像から前記車両の室内を模した車室画像へ遷移する画像を表示装置に表示させる。
【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
車両（ＶＬ１）に搭載され、前記車両とは異なる移動物（ｍ１、ｍ２）と前記車両との衝突を推定する衝突推定装置（１０）であって、
前記車両の軌跡を推定する車両軌跡推定部（１１）と、
前記移動物を認識するために用いられる第１センサ（２１、２２）から時系列的に得られる情報に基づき、前記移動物の軌跡を推定する移動物軌跡推定部（１２）と、
前記車両に対して前記車両の進行方向（Ｄ１）側に存在する遮蔽物（ＶＬ２）の位置および大きさを特定する遮蔽物特定部（１３）と、
特定された前記遮蔽物の位置および大きさを利用して、前記遮蔽物の位置および大きさを基準とした移動物抽出領域（Ａｒ１）を設定する移動物抽出領域設定部（１４）と、
前記車両の進行方向の変化を示す方向変化情報を取得する方向変化情報取得部（１５）と、
推定された前記車両の軌跡と、推定された前記移動物の軌跡と、取得された前記方向変化情報と、を利用して、前記車両と前記移動物との衝突発生の有無を推定する衝突推定部（１６）と、
を備え、
前記衝突推定部は、
前記移動物抽出領域内に前記移動物が認識され、且つ、取得された前記方向変化情報の示す前記進行方向の変化が前記遮蔽物から離れる方向でない場合には、前記移動物抽出領域とは異なる領域において前記移動物が認識された場合に比べて、より短い時間に前記第１センサから得られた情報に基づき推定される前記移動物の軌跡を利用して、前記衝突発生の有無を推定し、
前記移動物抽出領域内に前記移動物が認識され、且つ、取得された前記方向変化情報の示す前記進行方向の変化が前記遮蔽物から離れる方向である場合には、前記移動物抽出領域とは異なる領域において前記移動物が認識された場合に比べて、同じ時間又はより長い時間に前記第１センサから得られた情報に基づき推定される前記移動物の軌跡を利用して、前記衝突発生の有無を推定し、
前記移動物抽出領域設定部は、前記遮蔽物の位置および大きさとして、前記進行方向に沿って並んだ複数の遮蔽物（ＶＬ２、ＶＬ３）の位置および大きさがそれぞれ特定された場合に、前記複数の遮蔽物のうちの最も手前の遮蔽物（ＶＬ２）の手前側端面（Ｓ１）における前記進行方向と直交する直交方向に沿った中央（Ｐ１）から、前記直交方向に沿って前記車両の軌跡に近づく側に予め定められた第３距離（Ｌ３）だけ離れた点までを一辺とし、前記中央から、前記複数の遮蔽物のうちの最も奥の遮蔽物（ＶＬ３）の後端（Ｓ１２）から前記進行方向に沿って予め定められた第４距離（Ｌ４）だけ離れた点までを一辺とする矩形状の領域を、前記移動物抽出領域として設定する、衝突推定装置。
【請求項２】
請求項１に記載の衝突推定装置において、
前記移動物抽出領域設定部は、前記遮蔽物の手前側端面における前記進行方向と直交する直交方向に沿った中央（Ｐ１）から、前記直交方向に沿って前記車両の軌跡（Ｔｒ０）に近づく側に予め定められた第１距離（Ｌ１）だけ離れた点までを一辺とし、前記中央から、前記進行方向に沿って前記遮蔽物の後端（Ｐ２）から予め定められた第２距離（Ｌ２）だけ離れた点までを一辺とする平面視矩形状の領域を、前記移動物抽出領域として設定する、
衝突推定装置。
【請求項３】
請求項１または請求項２に記載の衝突推定装置において、
前記車両は、ステアリングホイール舵角と、タイヤ舵角と、ヨーレートと、のうち少なくとも一つを検出する第２センサ（２３、２４）を備え、
前記方向変化情報取得部は、前記第２センサから得られる値に基づき、前記方向変化情報を取得する、
衝突推定装置。
【請求項４】
請求項１から請求項３までのいずれか一項に記載の衝突推定装置において、
前記方向変化情報取得部は、前記車両に搭載されている方向指示装置の動作状態を示す情報を取得し、取得された該情報に基づき前記方向変化情報を取得する、
衝突推定装置。
【請求項５】
請求項１から請求項４までのいずれか一項に記載の衝突推定装置において、
前記車両は、地図情報を備え、
前記方向変化情報取得部は、前記地図情報に基づき前記車両の走行する道路の種類を特定し、特定された前記道路の種類に基づき前記方向変化情報を取得する、
衝突推定装置。
【請求項６】
請求項１から請求項５までのいずれか一項に記載の衝突推定装置において、
前記車両は、撮像部を備え、
前記方向変化情報取得部は、前記車両に搭載されている撮像部により得られた撮像画像における道路にペイントされた標識の種類に基づき前記方向変化情報を取得する、
衝突推定装置。
【請求項７】
車両において、前記車両とは異なる移動物と前記車両との衝突を推定する衝突推定方法であって、
前記車両の軌跡を推定する工程と、
前記移動物を認識するために用いられる第１センサから時系列的に得られる情報に基づき、前記移動物の軌跡を推定する工程と、
前記車両に対して前記車両の進行方向側に存在する遮蔽物の位置および大きさを特定する工程と、
特定された前記遮蔽物の位置および大きさを利用して、前記遮蔽物の位置および大きさを基準とした移動物抽出領域を設定する工程と、
前記車両の進行方向の変化を示す方向変化情報を取得する工程と、
推定された前記車両の軌跡と、推定された前記移動物の軌跡と、取得された前記方向変化情報と、を利用して、前記車両と前記移動物との衝突発生の有無を推定する工程と、
を備え、
前記衝突発生の有無を推定する工程は、
前記移動物抽出領域内に前記移動物が認識され、且つ、取得された前記方向変化情報の示す前記進行方向の変化が前記遮蔽物から離れる方向でない場合には、前記移動物抽出領域とは異なる領域において前記移動物が認識された場合に比べて、より短い時間に前記第１センサから得られた情報に基づき推定される前記移動物の軌跡を利用して、前記衝突発生の有無を推定し、
前記移動物抽出領域内に前記移動物が認識され、且つ、取得された前記方向変化情報の示す前記進行方向の変化が前記遮蔽物から離れる方向である場合には、前記移動物抽出領域とは異なる領域において前記移動物が認識された場合に比べて、同じ時間又はより長い時間に前記第１センサから得られた情報に基づき推定される前記移動物の軌跡を利用して、前記衝突発生の有無を推定する工程を含み、
前記移動物抽出領域を設定する工程は、前記遮蔽物の位置および大きさとして、前記進行方向に沿って並んだ複数の遮蔽物（ＶＬ２、ＶＬ３）の位置および大きさがそれぞれ特定された場合に、前記複数の遮蔽物のうちの最も手前の遮蔽物（ＶＬ２）の手前側端面（Ｓ１）における前記進行方向と直交する直交方向に沿った中央（Ｐ１）から、前記直交方向に沿って前記車両の軌跡に近づく側に予め定められた第３距離（Ｌ３）だけ離れた点までを一辺とし、前記中央から、前記複数の遮蔽物のうちの最も奥の遮蔽物（ＶＬ３）の後端（Ｓ１２）から前記進行方向に沿って予め定められた第４距離（Ｌ４）だけ離れた点までを一辺とする矩形状の領域を、前記移動物抽出領域として設定する工程を含む、衝突推定方法。
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
演出受付期間を発生可能な遊技機であって、
遊技者による所定動作を演出に供されるように受付対象とする所定動作受付手段と、
遊技者による特定動作を演出に供されるように受付対象とする特定動作受付手段と、
判定を行う判定手段と、
前記判定手段による判定の結果に基づいて図柄変動を行う図柄変動手段と、
前記図柄変動にて特別態様が現れると遊技者に特典を付与しうる特典付与手段と、
前記図柄変動が実行されている場合、前記所定動作受付手段によって遊技者による所定動作の受付けが許容される所定動作受付期間を前記演出受付期間として発生可能であり、該所定動作受付期間内において所定動作の受付けがなされると、該受付けがなされたことに基づいて当該所定動作受付期間を終了させるとともに受付後演出を実行可能な所定動作受付演出実行手段と、
前記図柄変動が実行されている場合、前記特定動作受付手段によって遊技者による特定動作の受付けが許容される特定動作受付期間を前記演出受付期間として発生可能であり、該特定動作受付期間内において特定動作の受付けがなされると、該受付けがなされたことに基づいて当該特定動作受付期間を終了させるとともに受付後演出を実行可能な特定動作受付演出実行手段と
を備え、
前記特定動作受付期間が発生した場合は、該特定動作受付期間内で特定動作の受付けがなされないときに該受付けがなされたときと同じ受付後演出を実行開始させるが、
前記所定動作受付期間が発生した場合は、該所定動作受付期間内で所定動作の受付けがなされないときに該受付けがなされたときと同じ受付後演出を実行開始させるときと、該受付けがなされたときと同じ受付後演出を実行開始させないときとがあり、
さらに、
前記特定動作受付期間内において、該特定動作受付期間の残り時間を示唆する残り時間示唆表示を表示可能であり、該特定動作受付期間内で特定動作の受付けがなされずに該受付けがなされたときと同じ受付後演出が実行開始される場合、該受付後演出が実行開始される時点で、前記残り時間示唆表示は非表示にされず表示されており、
さらに、
前記特定動作受付期間内において、遊技者に求める動作態様を示唆する動作態様表示を表示可能であり、前記動作態様表示は、複数態様のいずれかで表示可能とされており、該動作態様表示の態様には、遊技者による動作の受付けがなされない場合であっても該受付けがなされたときと同じ受付後演出が実行開始される演出受付期間が発生するときにしか出現し得ない態様が含まれている
ことを特徴とする遊技機。
【手続補正２】
【補正対象書類名】明細書
【補正対象項目名】０００６
【補正方法】変更
【補正の内容】
【０００６】
しかしながら、このような遊技機では、遊技興趣の低下が懸念される。
【手続補正３】
【補正対象書類名】明細書
【補正対象項目名】０００８
【補正方法】変更
【補正の内容】
【０００８】
手段１：演出受付期間を発生可能な遊技機であって、
遊技者による所定動作を演出に供されるように受付対象とする所定動作受付手段と、
遊技者による特定動作を演出に供されるように受付対象とする特定動作受付手段と、
判定を行う判定手段と、
前記判定手段による判定の結果に基づいて図柄変動を行う図柄変動手段と、
前記図柄変動にて特別態様が現れると遊技者に特典を付与しうる特典付与手段と、
前記図柄変動が実行されている場合、前記所定動作受付手段によって遊技者による所定動作の受付けが許容される所定動作受付期間を前記演出受付期間として発生可能であり、該所定動作受付期間内において所定動作の受付けがなされると、該受付けがなされたことに基づいて当該所定動作受付期間を終了させるとともに受付後演出を実行可能な所定動作受付演出実行手段と、
前記図柄変動が実行されている場合、前記特定動作受付手段によって遊技者による特定動作の受付けが許容される特定動作受付期間を前記演出受付期間として発生可能であり、該特定動作受付期間内において特定動作の受付けがなされると、該受付けがなされたことに基づいて当該特定動作受付期間を終了させるとともに受付後演出を実行可能な特定動作受付演出実行手段と
を備え、
前記特定動作受付期間が発生した場合は、該特定動作受付期間内で特定動作の受付けがなされないときに該受付けがなされたときと同じ受付後演出を実行開始させるが、
前記所定動作受付期間が発生した場合は、該所定動作受付期間内で所定動作の受付けがなされないときに該受付けがなされたときと同じ受付後演出を実行開始させるときと、該受付けがなされたときと同じ受付後演出を実行開始させないときとがあり、
さらに、
前記特定動作受付期間内において、該特定動作受付期間の残り時間を示唆する残り時間示唆表示を表示可能であり、該特定動作受付期間内で特定動作の受付けがなされずに該受付けがなされたときと同じ受付後演出が実行開始される場合、該受付後演出が実行開始される時点で、前記残り時間示唆表示は非表示にされず表示されており、
さらに、
前記特定動作受付期間内において、遊技者に求める動作態様を示唆する動作態様表示を表示可能であり、前記動作態様表示は、複数態様のいずれかで表示可能とされており、該動作態様表示の態様には、遊技者による動作の受付けがなされない場合であっても該受付けがなされたときと同じ受付後演出が実行開始される演出受付期間が発生するときにしか出現し得ない態様が含まれている
ことを特徴とする遊技機。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
遊技者による操作対象とされる操作手段と、
判定を行う判定手段と、
前記判定手段による判定にて所定の結果が得られたことに基づいて遊技者に特典を付与しうる特典付与手段と、
操作受付が許容される演出受付期間を発生可能であり、該演出受付期間で操作受付がなされると、該操作受付がなされたことに基づいて操作後演出を実行開始する受付演出実行手段と、
前記演出受付期間において、前記操作手段を摸した摸画像表示を、動画像として表示させる動画像表示手段と、
前記演出受付期間で操作受付がなされない場合であっても、該操作受付があったときと同じ操作後演出を実行開始させる自動演出手段と
を備え、
前記演出受付期間の種別として、特定の演出受付期間が少なくとも用意されており、該特定の演出受付期間で操作受付がなされると前記操作後演出として特定の操作後演出が行われるようになっており、
前記特定の演出受付期間では、前記自動演出手段によって前記操作後演出が実行開始される時点で、前記摸画像表示は、前記動画像としての表示を終了しておらず、該動画像としての表示を継続しており、
さらに、
前記演出受付期間の種別として、操作受付がなされない場合に前記自動演出手段によって操作後演出が実行開始されない所定の演出受付期間がさらに用意されており、
前記所定の演出受付期間及び前記特定の演出受付期間は、１つの変動パターン内で順次に発生しうるものであり、
さらに、
前記演出受付期間の発生に際しては、該演出受付期間が発生することを示唆する前兆演出表示が複数態様のいずれかで実行可能とされており、該前兆演出表示の態様には、操作受付がなされない場合であっても前記自動演出手段によって操作後演出が実行開始される演出受付期間が発生するときにしか出現し得ない態様が含まれている
ことを特徴とする遊技機。
【手続補正２】
【補正対象書類名】明細書
【補正対象項目名】０００６
【補正方法】変更
【補正の内容】
【０００６】
しかしながら、このような遊技機では、遊技興趣の低下が懸念される。
【手続補正３】
【補正対象書類名】明細書
【補正対象項目名】０００８
【補正方法】変更
【補正の内容】
【０００８】
手段１：遊技者による操作対象とされる操作手段と、
判定を行う判定手段と、
前記判定手段による判定にて所定の結果が得られたことに基づいて遊技者に特典を付与しうる特典付与手段と、
操作受付が許容される演出受付期間を発生可能であり、該演出受付期間で操作受付がなされると、該操作受付がなされたことに基づいて操作後演出を実行開始する受付演出実行手段と、
前記演出受付期間において、前記操作手段を摸した摸画像表示を、動画像として表示させる動画像表示手段と、
前記演出受付期間で操作受付がなされない場合であっても、該操作受付があったときと同じ操作後演出を実行開始させる自動演出手段と
を備え、
前記演出受付期間の種別として、特定の演出受付期間が少なくとも用意されており、該特定の演出受付期間で操作受付がなされると前記操作後演出として特定の操作後演出が行われるようになっており、
前記特定の演出受付期間では、前記自動演出手段によって前記操作後演出が実行開始される時点で、前記摸画像表示は、前記動画像としての表示を終了しておらず、該動画像としての表示を継続しており、
さらに、
前記演出受付期間の種別として、操作受付がなされない場合に前記自動演出手段によって操作後演出が実行開始されない所定の演出受付期間がさらに用意されており、
前記所定の演出受付期間及び前記特定の演出受付期間は、１つの変動パターン内で順次に発生しうるものであり、
さらに、
前記演出受付期間の発生に際しては、該演出受付期間が発生することを示唆する前兆演出表示が複数態様のいずれかで実行可能とされており、該前兆演出表示の態様には、操作受付がなされない場合であっても前記自動演出手段によって操作後演出が実行開始される演出受付期間が発生するときにしか出現し得ない態様が含まれている
ことを特徴とする遊技機。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
前面側を遊技球が流下可能な遊技盤と、前記遊技盤に設けられ、遊技球が入球可能な入賞口を有する入球ユニットとを備えた遊技機において、
前記入賞口は、開放状態と閉鎖状態とに切り替わる開閉部材によって開閉され、
前記入球ユニットの前側には遊技領域を背部領域として形成するカバー部が設けられ、
前記カバー部の盤面側には前記遊技球の流通を案内する流通案内手段が設けられ、
前記流通案内手段として、遊技球の流路を分岐させる非可動の固定部材として設けられ前記入賞口へと向かうように遊技球を転動させる傾斜面を有する分岐部を備え、該分岐部によって、前記入賞口に流通可能な第１流路と前記入賞口に流通しない第２流路とに遊技球が分岐されるようになっており、
前記分岐部の前記傾斜面に到達した遊技球が該傾斜面を前記入賞口へと向かうように転動したとき、前記開閉部材が閉鎖状態にある場合には必ず該開閉部材によって前記入賞口へ受け入れられず、前記開閉部材が開放状態にある場合には必ず前記入賞口へと案内される
ことを特徴とする遊技機。
【手続補正２】
【補正対象書類名】明細書
【補正対象項目名】０００３
【補正方法】変更
【補正の内容】
【０００３】
ところで、上述した従来の遊技機では、遊技領域に設けられる入賞口ユニットとして遊技興趣の低下を抑制する新たなものが望まれている実情にある。
【手続補正３】
【補正対象書類名】明細書
【補正対象項目名】０００５
【補正方法】変更
【補正の内容】
【０００５】
本発明は、前面側を遊技球が流下可能な遊技盤と、前記遊技盤に設けられ、遊技球が入球可能な入賞口を有する入球ユニットとを備えた遊技機において、
前記入賞口は、開放状態と閉鎖状態とに切り替わる開閉部材によって開閉され、
前記入球ユニットの前側には遊技領域を背部領域として形成するカバー部が設けられ、
前記カバー部の盤面側には前記遊技球の流通を案内する流通案内手段が設けられ、
前記流通案内手段として、遊技球の流路を分岐させる非可動の固定部材として設けられ前記入賞口へと向かうように遊技球を転動させる傾斜面を有する分岐部を備え、該分岐部によって、前記入賞口に流通可能な第１流路と前記入賞口に流通しない第２流路とに遊技球が分岐されるようになっており、
前記分岐部の前記傾斜面に到達した遊技球が該傾斜面を前記入賞口へと向かうように転動したとき、前記開閉部材が閉鎖状態にある場合には必ず該開閉部材によって前記入賞口へ受け入れられず、前記開閉部材が開放状態にある場合には必ず前記入賞口へと案内される
ことを特徴とする。
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
歯ブラシおよび歯磨きチューブが収容された収容状態、および、前記歯ブラシおよび前記歯磨きチューブの出し入れが可能な開放状態を取り得るトラベルケースであって、
前記歯ブラシおよび前記歯磨きチューブを積み重ねた積層状態で配置できるように構成された第１ケース部と、
前記第１ケース部との組み合わせにより前記収容状態を形成できるように構成された第２ケース部と、
前記収容状態かつ前記積層状態において前記第１ケース部および前記第２ケース部が前記歯磨きチューブの肩および尻の少なくとも一方に接触することにより前記歯磨きチューブを挟み込みように構成された保持構造とを含む
トラベルケース。
【請求項２】
前記保持構造は前記第１ケース部および前記第２ケース部のそれぞれと前記歯磨きチューブとの接触面に生じる摩擦力により前記トラベルケース内における前記歯磨きチューブの位置が安定するように構成される
請求項１に記載のトラベルケース。
【請求項３】
前記保持構造では前記摩擦力が生じるように前記第１ケース部の材質、前記第２ケース部の材質、前記第１ケース部における前記歯磨きチューブとの接触部分の曲率半径、および、前記第２ケース部における前記歯磨きチューブとの接触部分の曲率半径の少なくとも１つが決められる
請求項２に記載のトラベルケース。
【請求項４】
前記第１ケース部は前記第１ケース部の主要な部分を構成する第１主壁を含み、
前記第２ケース部は前記第２ケース部の主要な部分を構成する第２主壁を含み、
前記第１主壁および前記第２主壁は前記トラベルケースの厚さ方向において間隔を空けて対向することにより前記歯ブラシおよび前記歯磨きチューブを収容する収容空間を形成できるように構成され、
前記保持構造を構成する要素は少なくとも前記第１主壁および前記第２主壁を含む
請求項１〜３のいずれか一項に記載のトラベルケース。
【請求項５】
前記収容状態において前記トラベルケースの長手方向における前記歯磨きチューブの移動を規制できるように構成された長手規制部をさらに備える
請求項１〜４のいずれか一項に記載のトラベルケース。
【請求項６】
前記長手規制部は前記第１主壁および前記第２主壁の少なくとも一方に設けられている
請求項４を引用する請求項５に記載のトラベルケース。
【請求項７】
前記第１主壁および前記第２主壁は前記トラベルケースの短手方向においてそれぞれの外周部から中間部に向かうにつれて前記収容空間側とは反対側に突き出るように湾曲している
請求項４を引用する請求項５または６に記載のトラベルケース。
【請求項８】
請求項１〜７のいずれか一項に記載の前記トラベルケースと、
前記トラベルケースに収容された前記歯ブラシおよび前記歯磨きチューブとを備える
トラベルケースセット。
【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段による判定にて所定の結果が得られたことに基づいて遊技者に特典を付与しうる特典付与手段と、
遊技者による操作対象とされる操作手段と、
前記操作手段に対する操作受付が許容される受付演出を実行可能であり、該受付演出で操作受付されたことに基づいて演出変化を生じさせる受付演出実行手段と、
前記操作手段を摸した摸画像表示、及び前記操作手段に対する操作受付が許容される残り時間を示唆する残り時間示唆表示を、動画像として表示可能な画像表示手段と、
遊技者による操作がなくても操作受付があったときと同じ演出変化を生じさせることが可能な自動演出手段と
を備え、
前記受付演出には、
前記操作手段に対する操作受付が第１受付有効時間にわたって許容される第１受付演出、及び
前記操作手段に対する操作受付が前記第１受付有効時間よりも長い第２受付有効時間にわたって許容される第２受付演出
が含まれており、
前記摸画像表示及び前記残り時間示唆表示は、前記第１受付演出及び前記第２受付演出のいずれにおいても動画像として表示されるが、前記摸画像表示は、前記第１受付演出及び前記第２受付演出のいずれにおいても同じ態様で進展する動画像として表示されるのに対し、前記残り時間示唆表示は、前記第１受付演出において表示される場合、前記第２受付演出において表示されるときよりも速い態様で進展する動画像として表示されるようになっており、
さらに、
前記摸画像表示は、複数態様のいずれかで表示可能とされており、該摸画像表示の態様には、遊技者による操作がなくても操作受付があったときと同じ演出変化を生じさせる受付演出が実行されるときにしか出現し得ない態様が含まれている
ことを特徴とする遊技機。
【手続補正２】
【補正対象書類名】明細書
【補正対象項目名】０００６
【補正方法】変更
【補正の内容】
【０００６】
しかしながら、このような遊技機では、遊技興趣の低下が懸念される。
【手続補正３】
【補正対象書類名】明細書
【補正対象項目名】０００８
【補正方法】変更
【補正の内容】
【０００８】
手段１：判定を行う判定手段と、
前記判定手段による判定にて所定の結果が得られたことに基づいて遊技者に特典を付与しうる特典付与手段と、
遊技者による操作対象とされる操作手段と、
前記操作手段に対する操作受付が許容される受付演出を実行可能であり、該受付演出で操作受付されたことに基づいて演出変化を生じさせる受付演出実行手段と、
前記操作手段を摸した摸画像表示、及び前記操作手段に対する操作受付が許容される残り時間を示唆する残り時間示唆表示を、動画像として表示可能な画像表示手段と、
遊技者による操作がなくても操作受付があったときと同じ演出変化を生じさせることが可能な自動演出手段と
を備え、
前記受付演出には、
前記操作手段に対する操作受付が第１受付有効時間にわたって許容される第１受付演出、及び
前記操作手段に対する操作受付が前記第１受付有効時間よりも長い第２受付有効時間にわたって許容される第２受付演出
が含まれており、
前記摸画像表示及び前記残り時間示唆表示は、前記第１受付演出及び前記第２受付演出のいずれにおいても動画像として表示されるが、前記摸画像表示は、前記第１受付演出及び前記第２受付演出のいずれにおいても同じ態様で進展する動画像として表示されるのに対し、前記残り時間示唆表示は、前記第１受付演出において表示される場合、前記第２受付演出において表示されるときよりも速い態様で進展する動画像として表示されるようになっており、
さらに、
前記摸画像表示は、複数態様のいずれかで表示可能とされており、該摸画像表示の態様には、遊技者による操作がなくても操作受付があったときと同じ演出変化を生じさせる受付演出が実行されるときにしか出現し得ない態様が含まれている
ことを特徴とする遊技機。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
フォークヘッドボックスタンパク質Ａ２（ＦＯＸＡ２）とＬＩＭホメオボックス転写因子１α（ＬＭＸ１Ａ）を発現する細胞を含む第２の細胞集団由来のインビトロで分化した中脳ドーパミンニューロンの第１の細胞集団であって、
前記ＦＯＸＡ２とＬＭＸ１Ａを発現する細胞は、以下を含む方法により得られる：
万能性幹細胞を、少なくとも１つのスモールマザーズ・アゲインスト・デカペンタプレジック（ＳＭＡＤ）シグナル伝達阻害剤に暴露すること、及び少なくとも１つのソニックヘッジホッグ（ＳＨＨ）シグナル伝達活性化剤と少なくとも１つのウィングレス（Ｗｎｔ）シグナル伝達活性化剤に曝露すること；
ここで、前記少なくとも１つのＷｎｔシグナル伝達活性化剤は、前記少なくとも１つのＳＭＡＤシグナル伝達阻害剤への前記細胞の暴露開始から第３日目〜第１１日目にわたって有効濃度で存在する、前記第１の細胞集団。
【請求項２】
前記第１の細胞集団の約４０％超はチロシンヒドロキシラーゼ（ＴＨ）を発現する、請求項１に記載の細胞集団。
【請求項３】
前記第２の細胞集団は、約１０％未満のＰＡＸ６を発現する細胞を含む、請求項１又は２に記載の細胞集団。
【請求項４】
前記第２の細胞集団は、少なくとも約４０％、少なくとも約５０％、又は少なくとも約７０％のＦＯＸＡ２とＬＭＸ１Ａを発現する細胞を含む、請求項１〜３のいずれか１項に記載の細胞集団。
【請求項５】
前記第２の細胞集団は、約１０％〜約９０％のＰＡＸ６、ＨＥＳ５、ＥＭＸ２およびＬＨＸ２からなる群から選択される少なくとも１つのマーカーを発現する細胞を含む、請求項１〜４のいずれか１項に記載の細胞集団。
【請求項６】
前記中脳ドーパミンニューロンは、ＦＯＸＡ２、ＬＩＭホメオボックス転写因子１、ドーパミン、３，４‐ジヒドロキシ‐フェニル酢酸（ＤＯＰＡＣ）、ホモバニリン酸（ＨＶＡ）、チロシンヒドロキシラーゼ（ＴＨ）、核受容体関連１タンパク質（ＮＵＲＲ１）、ニューロン特異的ＩＩＩ型β‐チューブリン（Ｔｕｊ１）、トレフォイル因子ファミリー３（ＴＴＦ３）、ペアード様ホメオドメイン３（ＰＩＴＸ３）、アカエテ‐スクート複合体（ＡＳＣＬ）、初期Ｂ細胞因子１（ＥＢＦ‐１）、初期Ｂ細胞因子３（ＥＢＦ‐３）、トランスチレチン（ＴＴＲ）、シナプシン、ドーパミン・トランスポーター（ＤＡＴ）、Ｇタンパク質共役内向き整流性カリウムチャネル（Ｋｉｒ３．２／ＧＩＲＫ２）、ＣＤ１４２、ＤＣＳＭ１、ＣＤ６３及びＣＤ９９からなる群より選択される少なくとも１つのマーカーを発現する、請求項１〜５のいずれか１項に記載の細胞集団。
【請求項７】
前記第１の細胞集団及び／又は前記第２の細胞集団は、ポリシアル酸トランスフェラーゼ（ＰＳＴ）をコードするポリヌクレオチドが形質導入されており、かつ前記ＰＳＴを発現する、又は、前記第１の細胞集団及び／又は前記第２の細胞集団は、外来性ＰＳＴと接触したものである、請求項１〜６のいずれか１項に記載の細胞集団。
【請求項８】
請求項１〜７のいずれか１項に記載の細胞集団を含む組成物。
【請求項９】
少なくとも約１×１０9個の細胞を含む、請求項８に記載の組成物。
【請求項１０】
パーキンソン病又はパーキンソン・プラス症候群等の中脳のドーパミンニューロン機能の低減という特徴を有する対象における少なくとも１つの神経障害の症状を治療するのに使用するための、請求項１〜７のいずれか１項に記載の細胞集団又は請求項８又は９に記載の組成物。
【請求項１１】
前記神経障害の症状は、身震い、運動緩慢、屈曲姿勢、姿勢動揺、強直、嚥下障害及び認知症からなる群より選択される、請求項１０に記載の使用のための細胞集団又は組成物。
【請求項１２】
インビボでの移植に使用するための、請求項１〜７のいずれか１項に記載の細胞集団又は請求項８又は９に記載の組成物。
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
所定の制御条件の成立に基づいて有利な特別遊技状態に制御する遊技機において、
移動可能であって遊技者が所定の第１位置から第２位置へ操作可能な可動部材と、
前記可動部材の停止を保持させる停止保持力を付与可能な駆動手段と、
前記駆動手段を制御可能な駆動回路部と、
前記駆動回路部を制御可能な制御手段と、を備え、
前記制御手段は、
前記駆動回路部が前記駆動手段に所定電流を供給することに基づいて、当該駆動手段が前記可動部材に停止保持力を付与する保持状態に制御可能である一方、
前記駆動回路部が前記駆動手段に電流を供給しないことに基づいて、当該駆動手段が前記可動部材に停止保持力を付与しない無電流状態に制御可能なものであり、
前記可動部材が前記第１位置にあるときには、前記保持状態にしていて、
所定の演出条件が成立する場合であって、前記可動部材が前記第１位置から前記第２位置に到達する前までに前記保持状態から前記無電流状態に切替可能であることを特徴とする遊技機。
【請求項２】
請求項１に記載の遊技機において、
前記所定の演出条件が成立する場合は、前記可動部材を前記第１位置から前記第２位置へ操作することを促す操作促進演出が実行される場合であることを特徴とする遊技機。
【手続補正２】
【補正対象書類名】明細書
【補正対象項目名】０００４
【補正方法】変更
【補正の内容】
【０００４】
ところで、例えば可動部材を第１位置から第２位置へ移動させた後に、可動部材を第２位置にて所定時間の間だけ停止させておく場合がある。この場合、駆動回路部（ドライバＩＣ）が、可動部材の停止を保持する停止保持力を生じさせるべく、停止保持（停止励磁）用の電流を駆動手段（モータ）に供給することになる。しかしながら、遊技者が可動部材を第１位置から第２位置へ操作する際に、仮に保持状態が常に維持されていると、遊技者が操作し難い。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
本発明は上記事情に鑑みてなされたものである。すなわちその課題とするところは、遊技者が可動部材を第２位置へ操作し易くすることが可能な遊技機を提供することにある。
【手続補正５】
【補正対象書類名】明細書
【補正対象項目名】０００７
【補正方法】変更
【補正の内容】
【０００７】
本発明の遊技機は、
所定の制御条件の成立に基づいて有利な特別遊技状態に制御する遊技機において、
移動可能であって遊技者が所定の第１位置から第２位置へ操作可能な可動部材と、
前記可動部材の停止を保持させる停止保持力を付与可能な駆動手段と、
前記駆動手段を制御可能な駆動回路部と、
前記駆動回路部を制御可能な制御手段と、を備え、
前記制御手段は、
前記駆動回路部が前記駆動手段に所定電流を供給することに基づいて、当該駆動手段が前記可動部材に停止保持力を付与する保持状態に制御可能である一方、
前記駆動回路部が前記駆動手段に電流を供給しないことに基づいて、当該駆動手段が前記可動部材に停止保持力を付与しない無電流状態に制御可能なものであり、
前記可動部材が前記第１位置にあるときには、前記保持状態にしていて、
所定の演出条件が成立する場合であって、前記可動部材が前記第１位置から前記第２位置に到達する前までに前記保持状態から前記無電流状態に切替可能であることを特徴とする遊技機である。
【手続補正６】
【補正対象書類名】明細書
【補正対象項目名】０００８
【補正方法】変更
【補正の内容】
【０００８】
本発明の遊技機によれば、遊技者が可動部材を第２位置へ操作し易くすることが可能である。
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
（ａ）発光素子基板を備えた露光ヘッドと、
（ｂ）該露光ヘッドを保持し、装置本体に取り付けるための露光ヘッド保持部と、
（ｃ）前記露光ヘッドと前記露光ヘッド保持部との間に配設された圧縮ばねと、
（ｄ）該圧縮ばねの内径側に配設され、第１の係合部によって露光ヘッド保持部と係合させられ、第２の係合部によって露光ヘッドと係合させられるシャフトとを有することを特徴とする露光装置。
【請求項２】
前記シャフトは、前記露光ヘッド保持部及び露光ヘッドに対してシャフトの軸方向に移動自在に配設される請求項１に記載の露光装置。
【請求項３】
（ａ）前記露光ヘッドは、前記シャフトの、軸方向における第１の方向への移動を規制する第１の規制部、及び前記第２の係合部と係合させられて、前記シャフトの、軸方向における第１の方向と反対の第２の方向への移動を規制する第２の規制部を備え、
（ｂ）前記露光ヘッド保持部は、前記第１の係合部と係合させられて、前記シャフトの、軸方向における前記第１の方向への移動を規制する第３の規制部を備える請求項１又は２に記載の露光装置。
【請求項４】
（ａ）前記シャフトは、軸方向に延在する本体部を備え、
（ｂ）前記露光ヘッド保持部は、前記本体部を軸方向に移動自在に収容する第１の穴部を備える請求項１〜３のいずれか１項に記載の露光装置。
【請求項５】
前記露光ヘッド保持部は、前記第１の穴部に隣接させて形成され、前記第１の係合部を軸方向に移動自在に収容する第２の穴部を備える請求項３に記載の露光装置。
【請求項６】
（ａ）前記露光ヘッド保持部は、前記シャフトの一方の端部を収容する第１の収容穴部を備え、
（ｂ）前記露光ヘッドは、前記シャフトの他方の端部を収容する第２の収容穴部を備え、
（ｃ）前記第１の係合部は第１の収容穴部内に、前記第２の係合部は第２の収容穴部内に配設される請求項１〜５のいずれか１項に記載の露光装置。
【請求項７】
（ａ）前記圧縮ばねの一方の端部は、前記第１の収容穴部内に形成された穴部に収容され、
（ｂ）前記圧縮ばねの他方の端部は、前記第２の収容穴部内に形成された穴部に収容される請求項１〜６のいずれか１項に記載の露光装置。
【請求項８】
前記請求項１〜７のいずれか１項に記載の露光装置を備えた画像形成装置。
【請求項９】
（ａ）像担持体を備えた画像形成ユニットを有するとともに、
（ｂ）該各画像形成ユニットにおいて、像担持体と前記露光ヘッドとの間にスペーサが配設され、
（ｃ）前記露光ヘッドは、前記シャフトの軸の延長線上に配設され、前記スペーサと当接させられる突当て部を備える請求項８に記載の画像形成装置。
【手続補正２】
【補正対象書類名】明細書
【補正対象項目名】０００８
【補正方法】変更
【補正の内容】
【０００８】
そのために、本発明の露光装置においては、発光素子基板を備えた露光ヘッドと、該露光ヘッドを保持し、装置本体に取り付けるための露光ヘッド保持部と、前記露光ヘッドと前記露光ヘッド保持部との間に配設された圧縮ばねと、該圧縮ばねの内径側に配設され、第１の係合部によって露光ヘッド保持部と係合させられ、第２の係合部によって露光ヘッドと係合させられるシャフトとを有する。
【手続補正３】
【補正対象書類名】明細書
【補正対象項目名】０００９
【補正方法】変更
【補正の内容】
【０００９】
本発明によれば、露光装置においては、発光素子基板を備えた露光ヘッドと、該露光ヘッドを保持し、装置本体に取り付けるための露光ヘッド保持部と、前記露光ヘッドと前記露光ヘッド保持部との間に配設された圧縮ばねと、該圧縮ばねの内径側に配設され、第１の係合部によって露光ヘッド保持部と係合させられ、第２の係合部によって露光ヘッドと係合させられるシャフトとを有する。
【手続補正４】
【補正対象書類名】明細書
【補正対象項目名】００１０
【補正方法】変更
【補正の内容】
【００１０】
この場合、露光ヘッドと露光ヘッド保持部との間に圧縮ばねが配設され、圧縮ばねの内径側に配設されたシャフトが、第１の係合部によって露光ヘッド保持部と係合させられ、第２の係合部によって露光ヘッドと係合させられるので、シャフトの軸線上で、露光ヘッドと露光ヘッド保持部とが連結され、圧縮ばねの付勢力が露光ヘッド及び露光ヘッド保持部に加わる。